(57)【要約】【課題】搬入および搬出対象の形状が異なる種の円筒状物品を破損させることなく確実に保持する。【解決手段】梱包体１００は、梱包箱１１０内に物品保持部材１２０で直管型ＬＥＤランプ２０の両端に配置された口金２２を保持する。物品保持部材１２０は、上面１２１に物品下側受部１３０が下面１２２に物品上側受部１４０が形成されている。物品下側受部１３０には、凹部１３１と口金２２下面を受ける弧状凸部１３２と、電極２３を受ける棚部２３４とが形成され、物品上側受部１４０には第２凹部１４１と口金２２上面を押さえる第２弧状凸部１４２とが形成されている。弧状凸部１３２と第２弧状凸部１４２とで両端の口金２２を保持する。とりはずした直管型蛍光ランプ１０は、再度物品保持部材１２０を用いて直管型ＬＥＤランプ２０を取り出した梱包箱１１０に梱包できる。【選択図】図１
2012192934.tif 000002
【特許請求の範囲】
【請求項１】
円筒形状の物品を梱包箱に収容するに際して、前記物品の長手方向の両端に配置される物品保持部材であって、
前記物品保持部材は、梱包箱に配置されたとき上側に向く上面、同じく下側に向く下面、および物品配置側に向く内側面、前記内側面と反対側を向く外側面とを備えるとともに、前記上側面に前記物品の端部の下側を受ける物品下側受部を備え、
前記物品下側受部は、断面半月状の凹部と、この凹部の内周から立ち上がり形成される弧状凸部とを備え、
前記凹部は、前記内側面に開設された半月状開口、および前記上面に前記半月状開口と連通して開設された長方形開口を備え、
前記弧状凸部は、前記凹部の半径よりも小さい半径の内周縁を備え、前記円筒形部材の端部の外周面下側に接触すること、
を備えることを特徴とする物品保持部材。
【請求項２】
前記弧状凸部は、前記物品に衝撃が負荷したとき変形して前記物品への衝撃を吸収するようその強度が設定されていることを特徴とする請求項１に記載の物品保持部材。
【請求項３】
前記凹部は、前記円筒状の物品の最大径をなす外周部と接触しない半径に形成されていることを特徴とする請求項１または請求項２に記載の物品保持部材。
【請求項４】
前記凹部は、前記内側面から外側面に向け途中まで形成され、前記物品下側受部の外側面側には、前記上面と面一に形成された棚部が形成されていることを特徴とする請求項１から請求項３のいずれかに記載の物品保持部材。
【請求項５】
前記物品保持部材は、上下方向に複数段配置され、上下の物品保持部材の間で前記物品を挟んで固定するものであり、
上側から配置される物品保持部材の下面には、前記下側に配置される物品保持部材で保持される物品の上側を保持する物品上側受部が形成されていることを特徴とする請求項１から請求項４のいずれかに記載の物品保持部材。
【請求項６】
前記物品上側受部は、断面半月状の第２凹部を備え、
前記第２凹部は、外側面と内側面とに開設された半月状開口を備え、
前記下面には前記外側面と内側面の半月状開口に連通して開設された長方形開口を備える、
ことを特徴とする請求項５記載の物品保持部材。
【請求項７】
前記物品上側受部には、前記第２凹部の内周面から立ち上がり形成された第２弧状凸部を備え、
前記第２凸部は、前記第２凹部の半径よりも小さい半径の内周縁を備え、前記円筒形部材の端部の外周面に接触することを特徴とする請求項５または請求項６に記載の物品保持部材。
【請求項８】
前記物品下側受部および物品上側受部は前記物品の配置長手方向と垂直な幅方向に複数配置されていることを特徴とする請求項６に記載の物品保持部材。
【請求項９】
前記物品保持部材は、段ボールを積層して構成したことを特徴とする請求項１から請求項８のいずれかに記載の物品保持部材。
【請求項１０】
請求項１から請求項９のいずれかに記載の物品保持部材と、立方体状の梱包箱とを備え、円筒状の部材を複数梱包する梱包体であって、
前記梱包箱の相対する２壁面の内側に、それぞれ前記物品保持部材を複数段配置し、上下に隣接して配置された物品保持部材の物品下側受部と物品上側受部との間に前記物品の両端部を保持することを特徴とする梱包体。
【発明の詳細な説明】
【技術分野】
【０００１】
本発明は、円筒状物品を梱包する際に使用する物品保持部材および梱包体に係り、特に複数の異なる形状の円筒状物品を確実に保持することができる物品保持部材およびこの物品保持部材を使用した梱包体に関する。
【背景技術】
【０００２】
近年、省エネルギー化促進の観点から、室内の照明を直管型蛍光ランプから直管型ＬＥＤランプに置き換える傾向がある。この直管型ＬＥＤランプとしては、直管型蛍光ランプと同じ電極を備え、直管型蛍光ランプが使用されていた照明器具にそのまま取り付けることができるものがある。
【０００３】
直管型蛍光ランプは、円筒状であり、従来１つ１つを片段ボール製のスリーブで梱包して保管搬送されることがある（特許文献１参照）。また、とりはずした直管型蛍光ランプを収納する容器として、直方体形状または立方体形状の少なくとも上方側に位置することとなる側面のシートまたはネットに、円筒状の蛍光灯を通す穴が形成され、上面側が関口した箱状の容器として組み立てられる回収容器が開示されている（特許文献２参照）。
【０００４】
さらに、直管型ＬＥＤランプを梱包する梱包箱として、１つの梱包箱に複数のランプを横並びで収容するに際して、前記ランプの管状側面を載置する側保持部を有する中間パンパ一対と、前記ランプの端部を載置する端保持部を有する端パンパ一対とを備えものが提案されている（特許文献３参照）。
【０００５】
直管型蛍光ランプを直管型ＬＥＤランプに置き換えるに際しては、新品の直管型ＬＥＤランプを梱包する梱包体と、とりはずした直管型蛍光ランプを回収する回収具と、それぞれ個別に梱包体等が準備する必要がある。
【０００６】
直管型ＬＥＤランプは、その構造上口金が直管型の蛍光ランプの口金より長手方向に長く、また口径も小さい（特許文献４参照）。図１２は直管型蛍光ランプと直管型ＬＥＤランプの各部の寸法例を示す模式図である。ここで、（Ａ）は直管型蛍光ランプを、（Ｂ）は直管型ＬＥＤランプを示すものであり、それぞれ（ａ）は平面図を（ｂ）は側面図である。
【０００７】
図１２に示すように。直管型蛍光ランプ１０のガラス管部１１の直径Ｄ１は、直管型ＬＥＤランプ２０の発光管部２１の直径Ｄ２より大きく、また、直管型蛍光ランプ１０の口金１２の直径ｄ１は、直管型ＬＥＤランプ２０の口金２２の直径ｄ２より大きい。さらに直管型蛍光ランプ１０の口金１２の長さｔ１は、直管型ＬＥＤランプ２０の口金２２の長さｔ２より小さい。なお、図中符号１３は直管型蛍光ランプ１０の電極を、符号２３は直管型ＬＥＤランプ２０の電極を、２４は直管型ＬＥＤランプ２０の感電防止スイッチの端子を示している、
【０００８】
従来、直管型ＬＥＤランプを梱包した梱包体に、とりはずした直管型蛍光ランプを梱包できる共用の梱包体は提供されていなかった。これは、両ランプの交換に際して、直管型ＬＥＤランプを支持部材で保持して梱包してきた梱包体に、回収した直管型蛍光ランプを収納しようとしても、直管型蛍光ランプの口金が支持部材の口金支持凹部に一致しないからである。例えば、口金受凹部の長さすべてを直管型ＬＥＤランプの口金にあわせておくと、回収した直管型蛍光灯ランプ口金の直径が大きいため口金支持凹部に収容することができない。一方直管型蛍光ランプの口金直径にあわせた口金受凹部にすると直管型ＬＥＤランプの口金直径が小さいため口金受凹部での遊びが大きくなり位置の保持ができないこととなる。
【０００９】
さらに、直管型ＬＥＤランプの口金にのみ対応するように口金受凹部を構成した場合には、直管型蛍光ランプ１０の口金の長さが短いため、輸送時の衝撃等で直管型蛍光ランプ１０が口金受凹部からずれ落ちてしまいガラス管部が破損して、蛍光灯内部の水銀が漏れるおそれがある。
【００１０】
なお、受け部の長さを直管型蛍光灯の口金幅より大きくしてガラス管部分までに延長した場合に、ランプの質量に対して受け面積が大きすぎることになるため、受け部の長さすべてを一律に接触させるのではなく、部分的に接触させることで、衝撃が加わったときに受け部の変形をしやすくすることでランプへの負荷を軽減させる必要がある。
【発明の概要】
【発明が解決しようとする課題】
【００１１】
このような事情の基、直管型ＬＥＤランプを梱包して搬入してきた梱包体にとりはずした直管型蛍光ランプを収納して搬出できれば、梱包体の無駄がなく経済的かつ省資源化が図れる。このため、直管型蛍光ランプの納入から直管型のＬＥＤランプの回収までを共通の梱包体で梱包する技術が要望される。
【００１２】
本発明は、前記課題にかんがみなされたものであり、搬入および搬出対象の形状が異なる種の円筒状物品を破損させることなく確実に保持することができる物品保持部材、および梱包体を提供することを目的とする。
【課題を解決するための手段】
【００１３】
前記課題を解決する請求項１の発明は、円筒形状の物品を梱包箱に収容するに際して、前記物品の長手方向の両端に配置される物品保持部材であって、前記物品保持部材は、梱包箱に配置されたとき上側に向く上面、同じく下側に向く下面、および物品配置側に向く内側面、前記内側面と反対側を向く外側面とを備えるとともに、前記上側面に前記物品の端部の下側を受ける物品下側受部を備え、前記物品下側受部は、断面半月状の凹部と、この凹部の内周から立ち上がり形成される弧状凸部とを備え、前記凹部は、前記内側面に開設された半月状開口、および前記上面に前記半月状開口と連通して開設された長方形開口を備え、前記弧状凸部は、前記凹部の半径よりも小さい半径の内周縁を備え、前記円筒形部材の端部の外周面下側に接触すること、を備えることを特徴とする物品保持部材である。
【００１４】
同じく請求項２の発明は、請求項１に記載の物品保持部材において、前記弧状凸部は、前記物品に衝撃が負荷したとき変形して前記物品への衝撃を吸収するようその強度が設定されていることを特徴とする。
【００１５】
同じく請求項３の発明は、請求項１または請求項２に記載の物品保持部材において、前記凹部は、前記円筒状の物品の最大径をなす外周部と接触しない半径に形成されていることを特徴とする。
【００１６】
同じく請求項４の発明は、請求項１から請求項３のいずれかに記載の物品保持部材において、前記凹部は、前記内側面から外側面に向け途中まで形成され、前記物品下側受部の外側面側には、前記上面と面一に形成された棚部が形成されていることを特徴とする。
【００１７】
同じく請求項５の発明は、請求項１から請求項４のいずれかに記載の物品保持部材において、前記物品保持部材は、上下方向に複数段配置され、上下の物品保持部材の間で前記物品を挟んで固定するものであり、上側から配置される物品保持部材の下面には、前記下側に配置される物品保持部材で保持される物品の上側を保持する物品上側受部が形成されていることを特徴とする。
【００１８】
同じく請求項６の発明は、請求項５記載の物品保持部材において、前記物品上側受部は、断面半月状の第２凹部を備え、前記第２凹部は、外側面と内側面とに開設された半月状開口を備え、前記下面には前記外側面と内側面の半月状開口に連通して開設された長方形開口を備える、ことを特徴とする。
【００１９】
同じく請求項７の発明は、請求項５または請求項６に記載の物品保持部材において、前記物品上側受部には、前記第２凹部の内周面から立ち上がり形成された第２弧状凸部を備え、前記第２凸部は、前記第２凹部の半径よりも小さい半径の内周縁を備え、前記円筒形部材の端部の外周面に接触することを特徴とする。
【００２０】
同じく請求項８の発明は、請求項６に記載の物品保持部材において、前記物品下側受部および物品上側受部は前記物品の配置長手方向と垂直な幅方向に複数配置されていることを特徴とする。
【００２１】
同じく請求項９の発明は、請求項１から請求項８のいずれかに記載の物品保持部材において、前記物品保持部材は、段ボールを積層して構成したことを特徴とする。
【００２２】
同じく請求項１０の発明は、請求項１から請求項８のいずれかに記載の物品保持部材と、立方体状の梱包箱とを備え、円筒状の部材を複数梱包する梱包体であって、前記梱包箱の相対する２壁面の内側に、それぞれ前記物品保持部材を複数段配置し、上下に隣接して配置された物品保持部材の物品下側受部と物品上側受部との間に前記物品の両端部を保持することを特徴とする梱包体である。
【発明の効果】
【００２３】
本発明によれば、納入および回収対象である異なる形状をそなえる２種の円筒状物品を破損のおそれなく確実に保持できる。
【図面の簡単な説明】
【００２４】
【図１】実施例１に係る梱包体を示す斜視図である。
【図２】同じく梱包体の要部を示す拡大斜視図である。
【図３】同じく梱包体に使用する物品保持部材を示す図であり（ａ）は斜視図、（ｂ）は平面図である。
【図４】同じく梱包体に使用する物品保持部材を示す斜視図である。
【図５】同じく物品保持部を示す図４中のＡ部を拡大して示す斜視図である。
【図６】同じく物品保持部材での保持状態を示すものであり、（Ａ）は直管型蛍光ランプの保持状態を示す図、（Ｂ）は直管型ＬＥＤランプの保持状態を示す断面図である。
【図７】同じく物品保持部材を重ねた状態を示す模式図である。
【図８】実施例１に係る物品保持部材の具体的構成を示す図である。
【図９】重ね合わせた固定具に直管型ＬＥＤランプを保持した状態を示す模式図であり、（ａ）は１０本の直管型ＬＥＤランプを保持した状態、（ｂ）は２５本の直管型ＬＥＤランプを保持した状態を示す模式図である。
【図１０】実施例２に係る物品保持部材の具体的構成を示す図である。
【図１１】同じく物品保持部材での保持状態を示すものであり、（Ａ）は直管型蛍光ランプの保持状態を示す図、（Ｂ）は直管型ＬＥＤランプの保持状態を示す断面図である。
【図１２】直管型蛍光ランプと直管型ＬＥＤランプの端部の形状を示す模式図である。
【発明を実施するための形態】
【００２５】
本発明に係る梱包体は、梱包箱内に物品保持部材で直管型ＬＥＤランプまたは直管型蛍光ランプの両端に配置された口金を保持する。物品保持部材は、上面に物品下側受部が下面に物品上側受部が形成されている。物品下側受部には、凹部と弧状凸部が形成され、物品上側受部には第２凹部と第２弧状凸部とが形成されている。弧状凸部と第２弧状凸部とで両端の口金を保持する。とりはずした直管型蛍光ランプは、梱包された直管型蛍光ランプに使用された物品保持部材を用いて梱包箱に梱包する。
【実施例】
【００２６】
以下、本発明の実施例（以下では単に実施例と記載する）に係る物品保持部材、および梱包体について説明する。以下異なる形状の円筒部材として、直管型ＬＥＤランプおよび直管型蛍光ランプを例として説明する。例えば、照明器具に取り付けられた直管型蛍光ランプを梱包体に梱包された直管型ＬＥＤランプに交換し、とりはずした直管型蛍光ランプを梱包体に梱包して搬出する。
【００２７】
＜実施例１＞
以下実施例１に係る梱包体について説明する。図１は実施例１に係る梱包体を示す斜視図、図２は同じく梱包体の要部を示す拡大斜視図、図３は同じく梱包体に使用する物品保持部材を示す図であり、（ａ）は斜視図、（ｂ）は正面図である。梱包体１００は、図１および図２に示すように、段ボール製の梱包箱１１０に１０本の直管型ＬＥＤランプ２０を梱包する。梱包箱１１０内には、３つの同形状の物品保持部材１２０−１、１２０−２、１２０−３を重ねた物品保持部材組１５０を、長手方向両端部の内側にそれぞれ配置している。そして、物品保持部材組１５０の最下段（第１段）の物品保持部材１２０−１と第２段の物品保持部材１２０−２の間に５本の直管型ＬＥＤランプ２０を配置し、第２段の物品保持部材１２０−２と第３段の物品保持部材１２０−３との間に５本の直管型ＬＥＤランプ２０を配置する。
【００２８】
従って、梱包体１００には、１０本の直管型ＬＥＤランプ２０が配置できる。なお、図２では、直管型ＬＥＤランプ２０を５本だけ上段に配置した状態が描いてあるが、実際には記載された直管型ＬＥＤランプ２０の下段にさらに５本の直管型ＬＥＤランプ２０が配置される。
【００２９】
直管型ＬＥＤランプ２０を梱包体１００に梱包するには、梱包箱１１０内の長手方向両端部に物品保持部材１２０−１を配置し、この物品保持部材１２０−１上に５本の直管型ＬＥＤランプ２０を配置し、物品保持部材１２０−１上に物品保持部材１２０−２を重ね、この物品保持部材１２０−２の上に５本の直管型ＬＥＤランプ２０を配置し、さらに物品保持部材１２０−２の上に物品保持部材１２０−３を重ね、梱包箱１１０を梱包する。
【００３０】
直管型蛍光ランプ１０の交換に際しては、この状態で、直管型ＬＥＤランプ２０を交換場所に搬入する。直管型ＬＥＤランプ２０を梱包体１００から取り出すには、前述した手順と逆の手順による。また、梱包体１００には、直管型ＬＥＤランプ２０と同じく手順でとりはずした直管型蛍光ランプ１０を梱包することができる。
【００３１】
なお、図２中符号１６０は、直管型ＬＥＤランプ２０が物品保持部材１２０−２と物品保持部材１２０−３との間に配置されないような状態のとき、物品保持部材１２０−１２０−２、１２０−３が落下するのを防止する落ち止め部材を示している。この落ち止め部材１６０は、例えば段ボールを組み立てて構成される。
【００３２】
次に、物品保持部材１２０について説明する。図４は実施例１に係る梱包体に使用する物品保持部材を示す斜視図、図５は同じく物品保持部を示す図４中のＡ部を拡大して示すものであり、（ａ）、（ｂ）は斜視図、（ｃ）は正面図、図６は同じく物品保持部材で物品の保持状態を示すものであり、（Ａ）は直管型蛍光ランプの保持状態を示す図、（Ｂ）は直管型ＬＥＤランプの保持状態を示す断面図、図７は同じく２つの物品保持部材を重ねた状態を示す模式図である。
【００３３】
なお、上述した物品保持部材１２０−１、１２０−２、１２０−３は、同一形状であるので、以下１つの物品保持部材についてその符号を１２０として説明する。物品保持部材１２０は、図４に示すように、上面１２１と、下面１２２と、内側面１２３と、外側面１２４と両側面１２５、１２６とを備えた直方体形状の部材である。
【００３４】
物品保持部材１２０の上面１２１には、円筒形状の物品である直管型蛍光ランプ１０または直管型ＬＥＤランプ２０の口金１２、２２の下面を保持する物品下側受部１３０が形成される。
【００３５】
さらに、物品保持部材１２０の下面１２２には、下段に配置された物品保持部材１２０の端部上側に配置されたとき、下段に保持された直管型蛍光ランプ１０または直管型ＬＥＤランプ２０の口金１２、２２の上側がはめ込まれる物品上側受部１４０が形成される。
【００３６】
物品下側受部１３０は、物品保持部材１２０の上面に等間隔で５カ所に形成されている。また、物品上側受部１４０は、物品保持部材１２０の下面の物品下側受部１３０に対応する５カ所に形成されている。
【００３７】
物品下側受部１３０は、断面半月状の凹部１３１を備える。この凹部１３１により、内側面１２３には、中心Ｏを上面１２１より上側とした半径ｒ１（図５（ｃ）参照）の半月状開口１３６（図４中網掛け部）が開設され、上面１２１には半月状開口１３６に連通する長方形開口１３７（図４中網掛け部）が開設される。物品下側受部１３０の凹部１３１の内周面１３８は、半月状開口１３６と同じ半径ｒ１を備える。また、凹部１３１の外側面１２４側には、半月状の端面接触部１３３が形成される。この端面接触部１３３は、半月状開口１３６に相対した位置に形成される。
【００３８】
さらに、物品下側受部１３０は、弧状凸部１３２を備える。この弧状凸部１３２は、凹部１３１の中心Ｏと同心で凹部１３１の半月状開口１３６の半径ｒ１よりも小さい半径ｒ２（図５（ｃ））の内周端１３９を備え、凹部１３１の内周面１３８に沿って前記内周面から立ち上がるよう形成される。ここで、弧状凸部１３２の内周面１３８からの突出量をｈとする（図５（ｃ））。
【００３９】
また、端面接触部１３３と弧状凸部１３２の内側端部との間の寸法Ｌ１は、直管型蛍光ランプ１０の口金１２の長さｔ１より小さく形成されている（図６（Ａ）（ａ）参照）。同様に、直管型ＬＥＤランプ２０の口金２２の長さｔ２より小さい。このため、弧状凸部１３２には、配置された直管型蛍光ランプ１０の口金１２および直管型ＬＥＤランプ２０の口金２２の外周面下側に接触する。さらに、端面接触部１３３は、配置された直管型蛍光ランプ１０の口金１２および直管型ＬＥＤランプ２０の口金２２の外側端部に接触する。
【００４０】
物品下側受部１３０には、直管型蛍光ランプ１０および直管型ＬＥＤランプ２０の電極１３、２３を受ける棚部１３４が形成される。この棚部１３４は、物品下側受部１３０と内側面１２３から外側面１２４との間に上面１２１と面一に形成される。棚部１３４は、外側面１２４から寸法Ｌ３の位置まで形成される（図６（Ａ）（ａ）参照）。
【００４１】
また、物品上側受部１４０は、断面半月状の第２凹部１４１を備える。この第２凹部１４１により、外側面１２４と内側面１２３には、中心Ｏを下面１２２より上側とした半径ｒ１（図５（ｃ）参照）の半月状開口１４３、１４４が開設され、下面１２２には、半月状開口１４３、１４４に連通する長方形状開口１４７が開設される。
【００４２】
また、物品上側受部１４０は、第２弧状凸部１４２を備える。この第２弧状凸部１４２は、凹部１４１の半月状開口１４３、１４４の半径ｒ１よりも小さい半径ｒ２（弧状凸部１３２と同じく半径）の内周端１４６を有し、第２凹部１４１の内周面１４５に沿って立ち上がるよう形成される。第２弧状凸部１４２の内周面１４５からの突出量をｈとしている（図５（ｃ））。
【００４３】
この第２弧状凸部１４２の内周端１４６は、直管型ＬＥＤランプ２０の口金２２、直管型蛍光ランプ１０の口金１２の外周面上側に接触する。この第２弧状凸部１４２は、弧状凸部１３２と同位置になるよう、外側面１２４から寸法Ｌ４（Ｌ１＋Ｌ３）だけ離間した位置に形成される（図６（Ａ）（ｂ）、（Ｂ）（ｂ））。
【００４４】
このような構成の２つの物品保持部材１２０を重ねると、図７に示すように、下側に配置した物品保持部材１２０の物品下側受部１３０と、上側に配置した物品保持部材１２０の物品上側受部１４０とで、円形の開口部が形成され、この開口部の直径（２×ｒ１）は直管型蛍光ランプ１０のガラス管部１１に接触することなく収容できる程度の大きさに設定される。
【００４５】
また、物品保持部材１２０を重ねた状態で、弧状凸部１３２と、第２弧状凸部１４２とが接触して円形の開口部が形成され、この開口部の直径（２×ｒ２）は、直管型蛍光ランプ１０の口金１２および直管型ＬＥＤランプ２０の口金２２を収納できる程度の大きさに設定されている。このため、図６（Ａ）に示すように、直管型蛍光ランプ１０を配置した状態で、直管型蛍光ランプ１０の口金１２は保持される。
【００４６】
なお、直管型ＬＥＤランプ２０の口金２２の直径は直管型蛍光ランプ１０の口金１２の直径より小さいが、図６（Ｂ）に示すように、直管型ＬＥＤランプ２０の口金２２はこの開口部に実用上支障なく保持される。
【００４７】
そして、実施例１では、弧状凸部１３２は、梱包体１００が落下などして、直管型蛍光ランプ１０または直管型ＬＥＤランプ２０に衝撃が負荷したとき、つぶれやすくするものとする。これにより、直管型蛍光ランプ１０や直管型ＬＥＤランプ２０への衝撃を低減することができる。
【００４８】
以上をまとめると、実施例１に係る物品保持部材１２０の各部の寸法は以下のように設定される。
（１）弧状凸部１３２、第２弧状凸部１４２は、直管型蛍光ランプ１０および直管型ＬＥＤランプ２０の口金１２、２２を保持できる位置に配置される。このため、Ｌ１＜ｔ１（図６（Ａ）（ａ））、Ｌ１＜ｔ２とする（図６（Ｂ）（ａ））。
【００４９】
（２）弧状凸部１３２に直管型ＬＥＤランプ２０の口金２２を保持するとき、電極１３のみが棚部１３４上に載せられて配置され、口金２２が弧状凸部１３２から浮き上がらない。このため、Ｈ＝ｈ＋ｄ２／２とする（図６（Ｂ）（ｂ））。この状態で、発光管部２１が凹部１３１の内周面１３８に接触しない。このため、２×ｒ２＞Ｄ２とする（図６（Ｂ）（ａ）、（ｂ））。
【００５０】
（３）直管型蛍光ランプ１０の口金２２を弧状凸部１３２に載置したとき、電極２３のみが棚部１３４に載せられて配置され、口金１２が弧状凸部１３２から浮き上がらない。このため、Ｈ＝ｈ＋ｄ１／２とする（図６（Ａ））。さらに、口金１２が弧状凸部１３２に載置されたときに、ガラス管部１１が凹部１３１の内周面１３８に接触しない。このため、２×ｒ２＞Ｄ１とする（図６（Ａ）（ａ）、（ｂ））。
【００５１】
なお、一般的にはｄ１とｄ２とは等しくない（ｄ１＞ｄ２）が、ｄ１とｄ２の差は小さく、また、弧状凸部１３２、第２弧状凸部１４２は変形するため、弧状凸部１３２、第２弧状凸部１４２の突出量ｈを直管型蛍光ランプ１０の口金１２もしくは直管型ＬＥＤランプ２０の口金２２を保持できる寸法としておけば、実用上差し支えない。
【００５２】
実施例１では、物品保持部材１２０の各部を前記条件にすることで、各部寸法が異なる直管型蛍光ランプ１０および直管型ＬＥＤランプ２０を同一の梱包体１００で梱包することができる。
【００５３】
物品保持部材１２０は、所定形状に型抜きした片段ボールを積層して形成することができる。図８は実施例１に係る物品保持部材の具体的構成を示す図である。この例では物品下側受部１３０の凹部１３１は、半月状の切欠を形成した片段ボール製の板材を重ね、その周囲を片段ボールで被覆して構成したものである。そして、弧状凸部１３２を積層する板材のうち１枚の板材切欠部の半径をほかの切欠より小さくしたもので形成している。
【００５４】
この物品保持部材１２０は、紙製の片段ボールで構成しているので、回収後においても再生でき、省資源化を図ることができる。また、弧状凸部１３２を１枚の段ボールで構成しているので、弧状凸部１３２に載置した直管型蛍光ランプ１０、直管型ＬＥＤランプ２０に衝撃が作用した場合につぶれ、効率良く衝撃を吸収することができる。弧状凸部１３２の強度は、直管型蛍光ランプ１０および直管型ＬＥＤランプ２０への衝撃を吸収できるよう設定する。この設定は、弧状凸部１３２を構成する段ボールの種類、枚数により適宜調整できる。
【００５５】
なお、物品保持部材１２０は片段ボール製としたが、その他の紙材、発泡樹脂等の合成樹脂等で構成することができる。また、直管型蛍光ランプ１０および直管型ＬＥＤランプ２０はその消費電力タイプなどによりそのガラス管部、発光管部、口金および電極のサイズや形状が異なる。このため、物品保持部材１２０は収納する直管型蛍光ランプ１０および直管型ＬＥＤランプ２０にあわせてその寸法や形状を適宜変更することができる。
【００５６】
このような梱包体１００を使用して、直管型蛍光ランプ１０の交換先に直管型ＬＥＤランプ２０を搬入するときは、図１および図２に示すように、物品保持部材１２０で直管型ＬＥＤランプ２０の両端に形成された口金２２の上下面を挟み、これを梱包箱１１０に収容する。なお、梱包箱１１０中に配置した物品保持部材１２０に直管型ＬＥＤランプ２０を配置し、その上に次の物品保持部材１２０を配置し、これを必要に応じて繰り返す。
【００５７】
実施例１に係る物品保持部材１２０では、物品保持部材１２０を２段で重ねることで５本、３段重ねることで１０本、６段重ねることで２５本の直管型ＬＥＤランプ２０を収納することができる。
【００５８】
図９は重ね合わせた固定具に直管型ＬＥＤランプを保持した状態を示す模式図であり、（ａ）は１０本の直管型ＬＥＤランプを保持した状態、（ｂ）は２５本の直管型ＬＥＤランプを保持した状態を示す模式図である。このように必要な数の直管型ＬＥＤランプ２０分だけ物品保持部材１２０を用意すればよい。このとき、上下左右に配置した直管型ＬＥＤランプ２０の間には隙間が形成されるため直管型ＬＥＤランプ２０どうしが接触することがないほか、再下段に配置した直管型ＬＥＤランプ２０が直接梱包体１００の設置面に接触することがない。
【００５９】
直管型蛍光ランプ１０や直管型ＬＥＤランプ２０は、１箱１０本入り、または１箱２５本入りの形態で取引されることが一般的である。図９に示すように、１０本の直管型ＬＥＤランプ２０を配置した梱包体１００の高さ（Ｔ）は、直管型ＬＥＤランプ２０を２５本配置した梱包体２００の高さ（２Ｔ）の半分となり、１０本収納用の梱包体１００および２５本収納用の梱包体２００を混ぜて配置しておくとき、その高さを統一でき、積み重ねやすくなる。このため、実施例１に係る物品保持部材１２０を使用して梱包体１００、２００を構成することが有用である。
【００６０】
そして、直管型ＬＥＤランプ２０の交換先で、とりはずされた直管型蛍光ランプ１０を、図６（Ａ）（ａ）、（ｂ）に示すように梱包して、回収することができる。なお、直管型ＬＥＤランプ２０の設置の後における直管型蛍光ランプ１０の回収に際しては、梱包体１００を用いることなく、直管型ＬＥＤランプ２０の搬入にだけ梱包体１００を使用してもよいのはもちろんである。
【００６１】
なお、物品保持部材は、直管型蛍光ランプ１０または直管型ＬＥＤランプ２０を５つ載置できる形状としているが、この載置数は任意の数とすることができる。
【００６２】
＜実施例２＞
次に実施例２に係る物品保持部材２２０について説明する。図１０は実施例２に係る物品保持部材の具体的構成を示す図であり、（ａ）は斜視図、（ｂ）は平面図、（ｃ）は異なる方向からの斜視図、（ｃ）は底面図、図１１は同じく物品保持部材での保持状態を示すものであり、（Ａ）は直管型蛍光ランプの保持状態を示す図、（Ｂ）は直管型ＬＥＤランプの保持状態を示す断面図である。実施例２に係る物品保持部材２２０は、実施例１と物品下側受部２３０の構成が異なるものである。
【００６３】
すなわち、実施例２に係る物品保持部材２２０では、物品下側受部２３０の弧状凸部２３２を片段ボール３枚分で構成している。その他の構成は実施例１に係る物品保持部材１２０と同じである。物品保持部材２２０には、図１０に示すように、物品下側受部２３０と物品上側受部２４０が形成されている。物品下側受部２３０に凹部２３１、弧状凸部２３２、端面接触部２３３、棚部２３４を備える。また、物品上側受部２４０は、第２凹部２４１、第２弧状凸部２４２を備える。
【００６４】
実施例２に係る物品保持部材２２０では、図１１に示すように、直管型蛍光ランプ１０の口金１２および直管型ＬＥＤランプ２０の口金２２を保持することができる。実施例２に係る物品保持部材２２０では、弧状凸部２３２を段ボール３枚で形成しているので、下方に荷重が加わったとき、よりつぶれにくくなり、物品を確実に保持することができる。
【符号の説明】
【００６５】
１０  直管型蛍光ランプ
１１  ガラス管部
１２  口金
１３  電極
２０  直管型ＬＥＤランプ
２１  発光管部
２２  口金
２３  電極
１００  梱包体
１１０  梱包箱
１２０  物品保持部材
１２１  上面
１２２  下面
１２３  内側面
１２４  外側面
１２５、１２６  側面
１３０  物品下側受部
１３１  凹部
１３２  弧状凸部
１３３  端面接触部
１３４  棚部
１３６  半月状開口
１３７  長方形開口
１３８  内周面
１３９  内周端
１４０  物品上側受部
１４１  第２凹部
１４２  第２弧状凸部
１４３、１４４  半月状開口
１４５  内周面
１４６  内周端
１４７  長方形状開口
１５０  物品保持部材組
１６０  落ち止め部材
２００  梱包体
２２０  物品保持部材
２３０  物品下側受部
２３１  凹部
２３２  弧状凸部
２３３  端面接触部
２３４  棚部
２４０  物品上側受部
２４１  第２凹部
２４２  第２弧状凸部
【先行技術文献】
【特許文献】
【００６６】
【特許文献１】特開平９−１５０８７９号公報
【特許文献２】特開２００５−２６３３０２号公報
【特許文献３】特開２０１１−００１０７８号公報
【特許文献４】特開２０１０−１２３３５９号公報
【図１】
2012192934.tif 000003
【図２】
2012192934.tif 000004
【図３】
2012192934.tif 000005
【図４】
2012192934.tif 000006
【図５】
2012192934.tif 000007
【図６】
2012192934.tif 000008
【図７】
2012192934.tif 000009
【図８】
2012192934.tif 000010
【図９】
2012192934.tif 000011
【図１０】
2012192934.tif 000012
【図１１】
2012192934.tif 000013
【図１２】
2012192934.tif 000014